【手続補正書】
【提出日】平成17年6月30日(2005.6.30)
【手続補正１】
【補正対象書類名】明細書
【補正対象項目名】００１１
【補正方法】変更
【補正の内容】
【００１１】
時刻Ｔ３１において、水平同期信号Ａと垂直同期信号とを含んだディジタル映像信号Ｓ１２０がＣＲＩ検出部１３０に入力されるので、同期分離回路１３１は、ディジタル映像信号Ｓ１２０から垂直同期信号Ｓ１３１ａと水平同期信号Ｓ１３１ｂとを分離する。
【手続補正２】
【補正対象書類名】明細書
【補正対象項目名】００２３
【補正方法】変更
【補正の内容】
【００２３】
時刻Ｔ４１において、水平同期信号Ａと垂直同期信号とを含んだディジタル映像信号Ｓ１２０がＣＲＩ検出部１３０に入力されるので、同期分離回路１３１は、ディジタル映像信号Ｓ１２０から垂直同期信号Ｓ１３１ａと水平同期信号Ｓ１３１ｂとを分離する。
【手続補正３】
【補正対象書類名】明細書
【補正対象項目名】００６２
【補正方法】変更
【補正の内容】
【００６２】
時刻Ｔ１において、水平同期信号Ａと垂直同期信号とを含んだディジタル映像信号Ｓ１２０がＣＲＩ検出部１３０に入力されるので、同期分離回路１３１は、ディジタル映像信号Ｓ１２０から垂直同期信号Ｓ１３１ａと水平同期信号Ｓ１３１ｂとを分離する。
【手続補正４】
【補正対象書類名】明細書
【補正対象項目名】００７９
【補正方法】変更
【補正の内容】
【００７９】
スライスレベル算出部２１０は、ＣＲＩ検出期間にディジタル映像信号Ｓ１４０より立ち下がりを検出すると、立ち下り検出パルスＳ１５１を出力する立下り検出回路１５１と、立ち下り検出パルスＳ１５１よりディジタル映像信号Ｓ１４０の周波数を算出し、周波数データＳ１５２を出力する周波数算出回路１５２と、所定の文字放送方式に対応した周波数が算出される期間に、周波数判定ゲートパルスＳ１５３を出力する周波数判定回路１５３と、周波数判定ゲートパルスに基づいて、立ち下り検出パルスＳ１５１より所定の文字放送方式の立ち下がりに対応したパルスを抽出した周波数判定パルスＳ２１１ａ、および後述する振幅判定ゲートパルスＳ２１５に基づいて、立ち下り検出パルスＳ１５１より文字放送の信号の立ち下りパルス（ＣＲＩ信号Ｃの立ち下りパルス）を抽出した振幅判定パルスＳ２１１ｂ、を出力するＣＲＩ判定回路２１１と、を有する。また、スライスレベル算出部２１０は、ＣＲＩ検出期間にディジタル映像信号Ｓ１４０の最大値と最小値とを検索し、最大値検索データＳ２１２ａと最小値検索データＳ２１２ｂとを出力する最大／最小検索回路２１２と、周波数判定パルスＳ２１１ａをロードパルスとして、最大値検索データＳ２１２ａと最小値検索データＳ２１２ｂとからディジタル映像信号Ｓ１４０の最大値と最小値とを検出し、最大値検出データＳ２１３ａと最小値検出データＳ２１３ｂとを出力する最大／最小検出回路２１３と、後述する振幅判定回路２１５より出力される振幅判定ゲートパルスＳ２１５をロードパルスとして、最大値検出データＳ２１３ａと最小値検出データＳ２１３ｂとから、ディジタル映像信号Ｓ１４０の振幅および振幅の平均値を算出し、平均値をスライスレベルデータＳ２１４ａ、振幅を振幅検出データＳ２１４ｂとして出力する平均／振幅算出回路２１４と、予め決定されたＣＲＩ振幅判定値に基づいて、振幅検出データＳ２１４ｂが所定の文字放送の信号の振幅を有するか判定し、ＣＲＩ信号Ｃの振幅を有する期間に振幅判定ゲートパルスＳ２１５を出力する振幅判定回路２１５と、を有する。
【手続補正５】
【補正対象書類名】明細書
【補正対象項目名】００８６
【補正方法】変更
【補正の内容】
【００８６】
文字放送シリアルデータが重畳されたアナログ映像信号Ｓ１１０が映像信号入力端子１１０を介して入力されると、Ａ／Ｄ変換器１２０はこれをディジタル信号に変換し、ディジタル映像信号Ｓ１２０をＣＲＩ検出部１３０とＬＰＦ１４０とに出力する。すると、ＬＰＦ１４０は、ディジタル映像信号Ｓ１２０よりノイズを除去したディジタル映像信号Ｓ１４０を、スライスレベル算出部２１０と、データスライス部２２０とに出力する。
時刻Ｔ１１において、水平同期信号Ａと垂直同期信号とを含んだディジタル映像信号Ｓ１２０がＣＲＩ検出部１３０に入力されるので、同期分離回路１３１は、ディジタル映像信号Ｓ１２０から垂直同期信号Ｓ１３１ａと水平同期信号Ｓ１３１ｂとを分離する。
【手続補正６】
【補正対象書類名】明細書
【補正対象項目名】００９８
【補正方法】変更
【補正の内容】
【００９８】
また、時刻Ｔ１８において、立下り検出回路１５１はＣＲＩ信号Ｃの４番目の立ち下がりを検出し、立ち下り検出パルスＳ１５１を出力する。この立ち下がりパルスと、最大／最小検索回路２１２において検索した最大値検索データＳ２１２ａおよび最小値検索データＳ２１２ｂとに基づいて、スライスレベル算出部２１０は時刻Ｔ１７において行った処理と同様の処理を行い、スライスレベルデータＳ２１４ａを更新する。
【手続補正７】
【補正対象書類名】明細書
【補正対象項目名】０１００
【補正方法】変更
【補正の内容】
【０１００】
また、時刻Ｔ１９においてフレーミングコード信号Ｄを含んだディジタル映像信号Ｓ１４０がデータスライス部２２０に入力されると、２値化回路２２１は、スライスレベルデータＳ２１４ａで閾値判定することにより、２値化データＳ２２１を生成する。そして、抜き取り回路２２２において、抜き取りパルス生成回路１６２が生成する抜き取りパルスＳ１６２で、２値化データＳ２２１から文字放送シリアルデータを抜き取り、抜き取りシリアルデータＳ２２２をデコード回路２３０に出力する。デコード回路２３０は、この抜き取りシリアルデータＳ２２２をパラレルデータに変換し、フレーミングコードを検出する。
【手続補正８】
【補正対象書類名】明細書
【補正対象項目名】０１０６
【補正方法】変更
【補正の内容】
【０１０６】
スライスレベル算出部３１０は、ＣＲＩ検出期間にディジタル映像信号Ｓ１４０より立ち下がりを検出すると、立ち下り検出パルスＳ１５１を出力する立下り検出回路１５１と、立ち下り検出パルスＳ１５１よりディジタル映像信号Ｓ１４０の周波数を算出し、周波数データＳ１５２を出力する周波数算出回路１５２と、所定の文字放送方式に対応した周波数が算出される期間に、周波数判定ゲートパルスＳ１５３を出力する周波数判定回路１５３と、立ち下り検出パルスＳ１５１より所定の文字放送方式の立ち下がりに対応したパルスを抽出した周波数判定パルスＳ２１１ａ、および後述する振幅判定ゲートパルスＳ３１２に基づいて文字放送のパルス（ＣＲＩ信号Ｃ）を抽出した振幅判定パルスＳ２１１ｂを出力するＣＲＩ判定回路２１１と、を有する。また、スライスレベル算出部３１０は、ＣＲＩ検出期間にディジタル映像信号Ｓ１４０の最大値と最小値とを検索し、最大値検索データＳ２１２ａと最小値検索データＳ２１２ｂとを出力する最大／最小検索回路２１２と、周波数判定パルスＳ２１１ａをロードパルスとして、最大値検索データＳ２１２ａと最小値検索データＳ２１２ｂとからディジタル映像信号Ｓ１４０の最大値と最小値とを検出し、最大値検出データＳ２１３ａと最小値検出データＳ２１３ｂとを出力する最大／最小検出回路２１３と、最大値検出データＳ２１３ａと最小値検出データＳ２１３ｂとから、ディジタル映像信号Ｓ１４０の振幅および振幅の平均値を算出し、平均値を基準スライスレベルデータＳ３１１ａ、振幅を振幅検出データＳ３１１ｂ、ＣＲＩ信号Ｃの振幅を振幅レベルデータＳ３１１ｃとして出力する平均／振幅算出回路３１１と、振幅レベルデータＳ３１１ｃよりオフセット値を算出し、基準スライスレベルデータＳ３１１ａにオフセットを持たせた上側スライスレベルデータＳ１５７ａと下側スライスレベルデータＳ１５７ｂとを算出するスライスレベルオフセット値算出回路１５７と、予め決定されたＣＲＩ振幅判定値または、振幅判定値設定部３３０より入力される最適振幅判定値Ｓ３３２に基づいて、振幅検出データＳ３１１ｂが、所定の文字放送の信号の振幅を有するか判定し、ＣＲＩ信号Ｃの振幅を有する期間に振幅判定ゲートパルスＳ３１２を出力する振幅判定回路３１２と、を有する。
【手続補正９】
【補正対象書類名】明細書
【補正対象項目名】０１０８
【補正方法】変更
【補正の内容】
【０１０８】
また、平均／振幅算出回路３１１は、次の周波数判定パルスＳ２１１ａで新たな最大値検出データＳ２１３ａと最小値検出データＳ２１３ｂとより新振幅および新平均値を算出すると、さらに新平均値と基準スライスレベルデータＳ３１１ａとの平均値を算出し、算出値によりスライスレベルデータＳ３１１ａを更新する。同様に、新振幅と振幅レベルデータＳ３１１ｃとの平均値を算出し、算出値により振幅レベルデータＳ３１１ｃを更新する。
【手続補正１０】
【補正対象書類名】明細書
【補正対象項目名】０１１５
【補正方法】変更
【補正の内容】
【０１１５】
時刻Ｔ２１において、水平同期信号Ａと垂直同期信号とを含んだディジタル映像信号Ｓ１２０がＣＲＩ検出部１３０に入力されるので、同期分離回路１３１は、ディジタル映像信号Ｓ１２０から垂直同期信号Ｓ１３１ａと水平同期信号Ｓ１３１ｂとを分離する。
【手続補正１１】
【補正対象書類名】明細書
【補正対象項目名】０１２０
【補正方法】変更
【補正の内容】
【０１２０】
次に、振幅判定回路３１２において、予め設定されているＣＲＩ振幅判定値を用いて、振幅検出データＳ３１１ｂがＣＲＩ信号Ｃの振幅を有するか判定する。この場合、振幅検出データＳ３１１ｂがノイズＣ’より検出されたものであり、ＣＲＩ信号Ｃより検出される振幅検出データより小さい値であるため、ＣＲＩ振幅判定値の条件を満たさない。このため、振幅判定回路３１２は、この振幅検出データＳ３１１ｂがＣＲＩ信号Ｃの振幅を有さないと判定し、振幅判定ゲートパルスＳ３１２を生成しない。
【手続補正１２】
【補正対象書類名】明細書
【補正対象項目名】０１２６
【補正方法】変更
【補正の内容】
【０１２６】
最大／最小検出回路２１３は、この周波数判定パルスＳ２１１ａをロードパルスとして検出した最大値検出データＳ２１３ａと最小値検出データＳ２１３ｂとを、平均／振幅算出回路３１１に出力する。そして、最大／最小検索回路２１２は、周波数判定パルスＳ２１１ａに基づいて最大値検索データＳ２１２ａと最小値検索データＳ２１２ｂとをリセットし、時刻Ｔ２７以降の最大値および最小値を検索する。平均／振幅算出回路３１１は、最大値検出データ２１３ａと最小値検出データＳ２１３ｂとより、ディジタル映像信号Ｓ１４０の振幅を算出し、算出値を振幅検出データＳ３１１ｂとして振幅判定回路３１２に出力する。
【手続補正１３】
【補正対象書類名】明細書
【補正対象項目名】０１２９
【補正方法】変更
【補正の内容】
【０１２９】
また、時刻Ｔ２８において、立下り検出回路１５１はＣＲＩ信号Ｃの４番目の立ち下がりを検出し、立ち下り検出パルスＳ１５１を出力する。この立ち下がりパルスと、最大／最小検索回路２１２において検索した最大値検索データＳ２１２ａおよび最小値検索データＳ２１２ｂとに基づいて、スライスレベル算出部３１０は時刻Ｔ２７において行った処理と同様の処理を行い、基準スライスレベルデータＳ３１１ａと、上側スライスレベルデータＳ１５７ａ、下側スライスレベルデータＳ１５７ｂと、を出力する。
【手続補正１４】
【補正対象書類名】明細書
【補正対象項目名】０１４６
【補正方法】変更
【補正の内容】
【０１４６】
また、振幅レベルデータＳ３１１ｃに基づき算出したオフセット値を基準スライスレベルデータＳ３１１ａに加算した上側スライスレベルデータＳ１５７ａ、および基準スライスレベルデータＳ３１１ａよりオフセット値を減算した下側スライスレベルデータＳ１５７ｂを算出するスライスレベルオフセット値算出回路１５７を備えたので、伝送系における群遅延及び電界強度の低下などによりディジタル映像信号Ｓ１４０に歪みが生じ、基準スライスレベルデータＳ３１１ａのみで２値化すると誤った値に２値化してしまう場合であっても、いずれかのスライスレベルデータにより、正しい値に２値化することができるので、デコードエラーの発生率をさらに低く抑えることができる。
【手続補正１５】
【補正対象書類名】明細書
【補正対象項目名】０１５３
【補正方法】変更
【補正の内容】
【０１５３】
ディジタル映像信号Ｓ１４０とＣＲＩ検出範囲信号Ｓ１３２とが入力されると、スライスレベル算出部４１０はスライスレベルの算出を開始する。最大／最小検索回路４１１は、ディジタル映像信号Ｓ１４０の最大値および最小値を検索し、最大値検索データＳ４１１ａおよび最小値検索データＳ４１１ｂを出力する。立ち下がり検出回路１５１は、ディジタル映像信号Ｓ１４０の最初の立ち下がりと２番目の立ち下がりとを検出し、立ち下り検出パルスＳ１５１を出力する。この立ち下り検出パルスＳ１５１より算出したディジタル映像信号Ｓ１４０の周波数は、所定の文字放送方式に対応した周波数なので、周波数判定回路１５３は、周波数判定ゲートパルスＳ１５３をＣＲＩ判定回路２１１に出力する。ＣＲＩ判定回路２１１は、この周波数判定ゲートパルスＳ１５３と立ち下がり検出パルス１５１とに基づいて周波数判定パルスＳ２１１ａを生成し、パルス選択回路４１３に出力する。この時、パルス選択回路４１３にはデコードデータ単位パルスＳ４１２が入力されていないので、パルス選択回路４１３は周波数判定パルスＳ２１１ａを選択して、最大／最小検索回路４１１と最大／最小検出回路２１３とに出力する。
【手続補正１６】
【補正対象書類名】明細書
【補正対象項目名】０１５７
【補正方法】変更
【補正の内容】
【０１５７】
立下り検出回路１５１において、ＣＲＩ信号Ｃの次の立ち下がりが検出され立ち下がり検出パルスＳ１５１が生成されると、その立ち下がり検出パルスＳ１５１を用いて同様の処理を行い、平均／振幅算出回路３１１においてＣＲＩ信号Ｃの振幅と振幅の平均値と、を算出する。そして、平均／振幅算出回路３１１は、ＣＲＩ信号Ｃの振幅の平均値と、前回算出した基準スライスレベルデータと、の平均値を算出し、この算出値により基準スライスレベルデータＳ３１１ａを更新する。同様に、ＣＲＩ信号Ｃの振幅と、前回算出した振幅レベルデータと、の平均値を算出し、この算出値により振幅レベルデータＳ３１１ｃを更新する。スライスレベルオフセット値算出回路１５７は、振幅レベルデータＳ３１１ｃよりオフセット値を算出し、基準スライスレベルデータＳ３１１ａにオフセットを設けた上側スライスレベルデータＳ１５７ａと下側スライスレベルデータＳ１５７ｂとを出力する。
【手続補正１７】
【補正対象書類名】明細書
【補正対象項目名】０１６２
【補正方法】変更
【補正の内容】
【０１６２】
テキストデータ信号Ｅを含んだディジタル映像信号Ｓ１４０がデータスライス部１６０に入力されると、フレーミングコード信号Ｄと同様に、２値化回路１６１は、上側スライスレベルデータＳ１５７ａと、基準スライスレベルデータＳ３１１ａと、下側スライスレベルデータＳ１５７ｂとを用いて、ディジタル映像信号Ｓ１４０を２値化し、２値化データＳ１６１ａ〜Ｓ１６１ｃを生成する。そして、抜き取り回路１６３において、抜き取りパルスＳ１６２で、２値化データＳ１６１ａ〜Ｓ１６１ｃから文字放送シリアルデータを抜き取り、抜き取りシリアルデータＳ１６３ａ〜Ｓ１６３ｃを出力する。デコード回路４２０は、抜き取りシリアルデータＳ１６３ａ〜１６３ｃをパラレルデータに変換し、フレーミングコードに示された文字放送の種類に応じたデコード処理を行い、デコードデータＳ４２０ａ〜Ｓ４２０ｃを出力する。さらにデコード回路４２０は、デコード処理を行っている期間に、デコードデータ検出期間ゲートパルスＳ４２０ｄを、最大／最小検索回路４１１とデコードデータ単位パルス生成回路４１２とに出力する。そして、デコードデータ選択回路１８２は、エラー検出信号Ｓ３２１ｂに基づいて、デコードデータＳ４２０ａ〜Ｓ４２０ｃよりデコードエラーのないものを選択し、最終デコードデータＳ１８２として出力する。エラー検出回路３２１は、この最終デコードデータＳ１８２よりエラーを検出すると、エラー検出信号Ｓ３２１ｂをエラー数カウント回路３３１に出力する。コントローラ３３２は、エラー検出信号Ｓ３２１ｂよりデコードエラーの数をカウントしたエラー数カウントデータＳ３３１に基づき、最適なＣＲＩ振幅判定値を検出し、最適振幅判定値Ｓ３３２をスライスレベル算出部４１０に出力する。すると、振幅判定回路３１２は、この最適振幅判定値Ｓ３３２によりＣＲＩ振幅判定値を更新する。
【手続補正１８】
【補正対象書類名】明細書
【補正対象項目名】０１６４
【補正方法】変更
【補正の内容】
【０１６４】
そして、２値化回路１６１は、テキストデータ信号Ｅを含んだディジタル映像信号Ｓ１４０に基づき設定した基準スライスレベルデータＳ３１１ａ、および上側スライスレベルデータＳ１５７ａ、下側スライスレベルデータＳ１５７ｂを用いて、ディジタル映像信号Ｓ１４０を２値化し、２値化データＳ１６１ａ〜Ｓ１６１ｃを生成する。抜き取り回路１６３は、２値化データＳ１６１ａ〜Ｓ１６１ｃから文字放送シリアルデータを抜き取り、デコード回路４２０は、抜き取り回路１６３が出力する抜き取りシリアルデータＳ１６３ａ〜Ｓ１６３ｃに対してデコード処理を行い、デコードデータＳ４２０ａ〜Ｓ４２０ｃを出力する。そして、デコードデータ選択回路１８２は、エラー検出信号Ｓ３２１ｂに基づいて、デコードデータＳ４２０ａ〜Ｓ４２０ｃよりデコードエラーのないものを選択し、最終デコードデータＳ１８２として出力する。エラー検出回路３２１は、この最終デコードデータＳ１８２よりエラーを検出すると、エラー検出信号Ｓ３２１ｂをエラー数カウント回路３３１に出力する。コントローラ３３２は、エラー数カウント回路においてカウントしたエラー数カウントデータＳ３３１に基づいて、最適なＣＲＩ振幅判定値を検出し、最適振幅判定値Ｓ３３２をスライスレベル算出部４１０に出力する。すると、振幅判定回路３１２は、この最適振幅判定値Ｓ３３２によりＣＲＩ振幅判定値を更新する。
【手続補正１９】
【補正対象書類名】明細書
【補正対象項目名】符号の説明
【補正方法】変更
【補正の内容】
【符号の説明】
１１０  映像信号入力端子
Ｓ１１０  アナログ映像信号
１２０  Ａ／Ｄ変換器
Ｓ１２０、Ｓ１４０  ディジタル映像信号
１３０  ＣＲＩ検出部
１３１同期分離回路
Ｓ１３１ａ  垂直同期信号
Ｓ１３１ｂ  水平同期信号
１３２  ＣＲＩ検出範囲信号生成回路
Ｓ１３２  ＣＲＩ検出範囲信号
１４０  ＬＰＦ
１５０、２１０、３１０、４１０、５１０  スライスレベル算出部
１５１  立下り検出回路
Ｓ１５１  立下り検出パルス
１５２  周波数検出回路
Ｓ１５２  周波数データ
１５３  周波数判定回路
Ｓ１５３  周波数判定ゲートパルス
１５１、２１１  ＣＲＩ判定回路
Ｓ１５４、Ｓ２１１ａ  周波数判定パルス
Ｓ２１１ｂ  振幅判定パルス
１５５、２１２、４１１  最大／最小検索回路
１５５ａ、Ｓ２１２ａ、Ｓ４１１ａ  最大値検索データ
１５５ｂ、Ｓ２１２ｂ、Ｓ４１１ｂ  最小値検索データ
２１３  最大／最小検出回路
Ｓ２１３ａ  最大値検出データ
Ｓ２１３ｂ  最小値検出データ
１５６、２１４、３１１  平均／振幅算出回路
５１１  平均算出回路
Ｓ１５６ａ、Ｓ３１１ａ  基準スライスレベルデータ
Ｓ２１４ａ、Ｓ５１１  スライスレベルデータ
Ｓ１５６ｂ、Ｓ２１４ｂ、Ｓ３１１ｂ  振幅検出データ
Ｓ３１１ｃ  振幅レベルデータ
２１５、３１２  振幅判定回路
Ｓ２１５、Ｓ３１２  振幅判定ゲートパルス
４１２  デコードデータ単位パルス生成回路
Ｓ４１２  デコードデータ単位パルス
４１３  パルス判定回路
Ｓ４１３  平均／振幅算出単位判定パルス
１５７  スライスレベルオフセット値算出回路
Ｓ１５７ａ  上側スライスレベルデータ
Ｓ１５７ｂ  下側スライスレベルデータ
１６０、２２０  データスライス部
１６１、２２１  ２値化回路
Ｓ１６１ａ、Ｓ１６１ｂ、Ｓ１６１ｃ、Ｓ２２１  ２値化データ
１６２  抜き取りパルス生成回路
Ｓ１６２  抜き取りパルス
１６３、２２２  抜き取り回路
Ｓ１６３ａ、Ｓ１６３ｂ、Ｓ１６３ｃ、Ｓ２２２  抜き取りシリアルデータ
１７０、２３０、４２０  デコード回路
Ｓ１７０ａ、Ｓ１７０ｂ、Ｓ１７０ｃ、Ｓ２３０、Ｓ４２０ａ、Ｓ４２０ｂ、
Ｓ４２０ｃ  デコードデータ
Ｓ４２０ｄ  デコードデータ検出期間ゲートパルス
１８０、３２０  データ選択部
１８１、３２１  エラー検出回路
Ｓ１８１、Ｓ３２１ａ  デコードデータ選択信号
Ｓ３２１ｂ  エラー検出信号
１８２  デコードデータ選択回路
Ｓ１８２  最終デコードデータ
Ｓ２３０  デコードデータ
１９０  映像信号出力端子
３３０  振幅判定値設定部
３３１  エラー数カウント回路
Ｓ３３１  エラー数カウントデータ
３３２  コントローラ
Ｓ３３２  最適振幅判定値